(57)【要約】  表面及び裏面が一の状態と、表面及び裏面が反転された他の状態の何れでもプラグを挿入することができるコネクタを有し、コネクタに複数のピンからなる第１の配列と複数のピンからなる第２の配列がほぼ平行して設けられており、第１の配列に含まれる第１のピンと、第２の配列に含まれ、第１のピンの対角に位置する第２のピンの両方又は一方をＲＦ信号入力用に設定した受信機である。
2017170419.tif 000002
【特許請求の範囲】
【請求項１】
表面及び裏面が一の状態と、表面及び裏面が反転された他の状態の何れでもプラグを挿入することができるコネクタを有し、
前記コネクタに複数のピンからなる第１の配列と複数のピンからなる第２の配列がほぼ平行して設けられており、
前記第１の配列に含まれる第１のピンと、前記第２の配列に含まれ、前記第１のピンの対角に位置する第２のピンの両方又は一方をＲＦ信号入力用に設定した受信機。
【請求項２】
前記第１及び第２のピンがグラウンド端子である請求項１に記載の受信機。
【請求項３】
前記第１及び第２のピンの両方がＲＦ信号入力用とされる場合に、前記ＲＦ信号の周波数帯域においてハイインピーダンスとなる高周波遮断素子を介してグラウンドに接続され、且つ、ＲＦ信号を通過させるキャパシタを介してＲＦ入力端子に接続される請求項１に記載の受信機。
【請求項４】
前記第１のピン及び前記第２のピンの両方がＲＦ信号入力用に設定され、
前記第１のピン及び前記第２のピンの一方からのＲＦ信号を選択してＲＦ入力端子に供給する切り替え手段を有する請求項１に記載の受信機。
【請求項５】
前記第１のピン及び前記第２のピンの一方に対してＲＦ信号が入力され、
前記ＲＦ入力端子に供給されるＲＦ信号のレベルを検出し、検出結果によって前記切り替え手段を切り替えるようにした請求項４に記載の受信機。
【請求項６】
前記第１のピン及び前記第２のピンの両方に対してＲＦ信号が入力される場合に、前記第１のピン及び前記第２のピンを共通接続してＲＦ信号入力用に設定するようにした請求項１に記載の受信機。
【請求項７】
前記第１のピン及び前記第２のピンの両方に対してＲＦ信号が入力される場合に、前記第１のピン及び前記第２のピンの一方をＲＦ信号入力用に設定し、前記第１のピン及び前記第２のピンの他方が使用帯域内において、プラグとコネクタの長さを含んだスタブとして機能しないように、配線長を調整したり、インダクタや、キャパシタで調整されている請求項１に記載の受信機。
【請求項８】
前記コネクタは、ＵＳＢ  Ｔｙｐｅ−Ｃの規格で規定されているプラグが挿入可能な請求項１に記載の受信機。
【請求項９】
ＣＣピンとＶＣＯＮＮピンがショートされるＵＳＢ  Ｔｙｐｅ−Ｃの規格で規定されているオーディオアダプタアクセサリーモードがＲＦ信号の入力に使用される請求項８に記載の受信機。
【請求項１０】
表面及び裏面が一の状態と、表面及び裏面が反転された他の状態の何れでもコネクタに対して挿入することができるプラグと
前記プラグに対してＲＦ信号を供給するケーブルとを有し、
前記プラグに複数のピンからなる第１の配列と複数のピンからなる第２の配列がほぼ平行して設けられており、
前記第１の配列に含まれる第１のピンと、前記第２の配列に含まれ、前記第１のピンの対角に位置する第２のピンの両方又は片方をＲＦ信号供給用に設定したＲＦ信号供給装置。
【請求項１１】
前記ケーブルがアンテナの機能を有し、前記アンテナの出力が前記ＲＦ信号として前記第１のピン及び前記第２のピンの両方又は一方に供給される請求項１０に記載のＲＦ信号供給装置。
【請求項１２】
前記プラグは、ＵＳＢ  Ｔｙｐｅ−Ｃの規格で規定されたものである請求項１０に記載のＲＦ信号供給装置。
【請求項１３】
前記ケーブルに対してヘッドセット接続用のジャックが接続された請求項１０に記載のＲＦ信号供給装置。
【請求項１４】
前記ケーブルに対してＲＦ信号伝送用のコネクタが接続された請求項１０に記載のＲＦ信号供給装置。
【発明の詳細な説明】
【技術分野】
【０００１】
本技術は、例えばテレビジョン放送を受信する受信機及び受信機に対してＲＦ信号（高周波信号）を供給するためのＲＦ信号供給装置に関する。
【背景技術】
【０００２】
ＲＦコネクタを備えていない情報端末機器の場合、何れかの入出力端子にＲＦ信号の入力機能を兼用させることが一般的である。例えばイヤホン端子に接続されるイヤホンケーブルをアンテナとすることがなされている。しかしながら、イヤホン端子は、３．５mmの直径のミニプラグを挿入するために、比較的大きな端子となるので、機器の薄型化にとって不利である。【０００３】
そこで、特許文献１に記載のように、ＵＳＢ(Universal Serial Bus)コネクタをＲＦ入力として使用することが提案されている。すなわち、ＵＳＢ端子（タイプＡ）とＵＳＢ端子（タイプＢ）とを所定長の同軸シールド線の両端に有する構成が記載されている。さらに、特許文献２には、ＵＳＢコネクタ−ＳＭＡ(Sub Miniature Type A)変換ケーブルの例が記載されている。これらの特許文献１及び特許文献２では、識別用ピンをアンテナ入力として利用している。
【先行技術文献】
【特許文献】
【０００４】
【特許文献１】特開２０１２−２４４３２７号公報
【特許文献２】特開２０１６−００１９１６号公報
【発明の概要】
【発明が解決しようとする課題】
【０００５】
特許文献１及び特許文献２に記載のものは、ＵＳＢ端子が既存の規格のもので、ＵＳＢプラグをＵＳＢコネクタに差し込む場合の表面及び裏面が固定されているものであった。しかしながら、最近では、表裏の向きが制約されないリバーシブルなコネクタが使用されつつある。ＵＳＢ  Ｔｙｐｅ−Ｃ、Ｌｉｇｈｔｎｉｎｇ等はリバーシブルなコネクタである。【０００６】
このようなリバーシブルのコネクタの場合には、プラグの表面及び裏面が入れ替わった場合に、特許文献１又は特許文献２のようなアンテナ入力の端子が固定されていると、アンテナ入力が供給できない問題が生じる。【０００７】
したがって、本技術の目的は、リバーシブルのコネクタを使用する場合に、ＲＦ信号を支障なく供給でき、また、ＲＦ信号を受け取ることができる受信機及びＲＦ信号供給装置を提供することにある。
【課題を解決するための手段】
【０００８】
本技術は、表面及び裏面が一の状態と、表面及び裏面が反転された他の状態の何れでもプラグを挿入することができるコネクタを有し、
コネクタに複数のピンからなる第１の配列と複数のピンからなる第２の配列がほぼ平行して設けられており、
第１の配列に含まれる第１のピンと、第２の配列に含まれ、第１のピンの対角に位置する第２のピンの両方又は一方をＲＦ信号入力用に設定した受信機である。
本技術は、表面及び裏面が一の状態と、表面及び裏面が反転された他の状態の何れでもコネクタに対して挿入することができるプラグと
プラグに対してＲＦ信号を供給するケーブルとを有し、
プラグに複数のピンからなる第１の配列と複数のピンからなる第２の配列がほぼ平行して設けられており、
第１の配列に含まれる第１のピンと、第２の配列に含まれ、第１のピンの対角に位置する第２のピンの両方又は片方をＲＦ信号供給用に設定したＲＦ信号供給装置である。
【発明の効果】
【０００９】
少なくとも一つの実施形態によれば、プラグの表面及び裏面が一の状態と、表面及び裏面が反転された他の状態の何れであっても、ＲＦ信号を支障なく受信機に対して供給することができる。なお、ここに記載された効果は必ずしも限定されるものではなく、本技術中に記載されたいずれの効果であってもよい。また、以下の説明における例示された効果により本技術の内容が限定して解釈されるものではない。
【図面の簡単な説明】
【００１０】
【図１】図１はレセプタクルの一例の説明に使用する斜視図及び正面図である。
【図２】図２はプラグの一例の説明に使用する斜視図及び正面図である。
【図３】図３はレセプタクル及びプラグを正面から見た場合のそれぞれピンの配列を示す略線図である。
【図４】図４はオーディオアダプタアクセサリーモードの説明に使用する接続図である。
【図５】図５はオーディオアダプタアクセサリーモードの説明に使用するブロック図である。
【図６】図６は第１の実施の形態の変換ケーブルの説明に使用する接続図である。
【図７】図７は第１の実施の形態の受信機側の構成の説明に使用する接続図である。
【図８】図８は第１の実施の形態のケーブルの説明に使用する接続図である。
【図９】図９は第２の実施の形態の変換ケーブルの説明に使用する接続図である。
【図１０】図１０は第２の実施の形態の変換ケーブルの説明に使用する接続図である。
【図１１】図１１は第２の実施の形態の受信機側の構成の説明に使用する接続図である。
【図１２】図１２は第２の実施の形態の受信機側の構成の説明に使用する接続図である。
【図１３】図１３Ａは、順接続の場合で、シミュレーションにより求められたテレビジョン帯のゲインの周波数特性を示すグラフであり、図１３Ｂは、逆接続の場合で、シミュレーションにより求められたテレビジョン帯のゲインの周波数特性を示すグラフであま。
【図１４】図１４は第２の実施の形態のケーブルの説明に使用する接続図である。
【図１５】図１５は第２の実施の形態のＦコネクタを備えるケーブルの説明に使用する接続図である。
【図１６】図１６は図１５に示すケーブルのシミュレーションにより求められた通過特性Ｓ２１を示すグラフである。
【図１７】図１７は第３の実施の形態のケーブルの説明に使用する接続図である。
【図１８】図１８は第３の実施の形態の受信機側の構成の説明に使用する接続図である。
【発明を実施するための形態】
【００１１】
以下に説明する実施の形態は、本技術の好適な具体例であり、技術的に好ましい種々の限定が付されている。しかしながら、本技術の範囲は、以下の説明において、特に本技術を限定する旨の記載がない限り、これらの実施の形態に限定されないものとする。
なお、本技術の説明は、次の順序にしたがってなされる。
＜１．第１の実施の形態＞
＜２．第２の実施の形態＞
＜３．第３の実施の形態＞
＜４．変形例＞
【００１２】
＜１．第１の実施の形態＞
第１の実施の形態は、スマートフォン、タブレット等の携帯端末によって例えばテレビジョン放送を受信する場合に適用され、コネクタとしてＵＳＢ  Ｔｙｐｅ−Ｃの規格のものを使用するものである。ＵＳＢ  Ｔｙｐｅ−Ｃのコネクタ（以下、レセプタクルと適宜称する）の形状は、マイクロＵＳＢ程度の小型なもので、携帯端末等の受信機に適用して好適なものである。さらに、携帯端末によってテレビジョン放送を受信する場合、番組の音声を聴くためにヘッドセット（ヘッドホン）を使用することが多い。
【００１３】
ＵＳＢ  Ｔｙｐｅ−Ｃでは、後述するようにアナログオーディオ信号をヘッドセットに供給する特別な動作モード（オーディオアダプタアクセサリーモード）を規格上で定めている。オーディオアダプタアクセサリーモードを使用すれば、携帯端末によってテレビジョン放送を受信する場合に、音声をヘッドセットによって聴くことができる。この点を考慮してオーディオアダプタアクセサリーモードにおいて、ＲＦ信号例えばアンテナ信号を携帯端末に対して供給するようになされる。さらに、高速のデータ伝送とアンテナ信号の伝送を同時に行うことは、相互に影響を与えることになり好ましくなく、アナログオーディオ信号のような比較的周波数が低い信号の伝送時にアンテナ信号を伝送することが好ましい。
【００１４】
オーディオアダプタアクセサリーモードにおいては、ＵＳＢ  Ｔｙｐｅ−Ｃのプラグとオーディオ用のジャックをケーブルで接続した構成とされ、左チャネル信号（レフト）、右チャネル信号（ライト）、マイクロホン信号（マイク）、アナロググラウンド（グラウンド）の４個のアナログ信号の伝送路が形成される。本技術の実施の形態ではＲＦ信号の伝送路としてグラウンドを使用するようになされる。さらに、ケーブルとして編組銅線の構成のシールド線を有するケーブル使用することによって、アンテナケーブルを構成することが可能となる。
【００１５】
上述した第１の実施の形態の技術思想は、他の実施の形態についても同様である。但し、本技術は、ＵＳＢ  Ｔｙｐｅ−Ｃの規格以外のリバーシブルな仕様例えばＬｉｇｈｔｎｉｎｇに対しても適用可能なものである。すなわち、表面及び裏面が一の状態と、表面及び裏面が反転された他の状態の何れでもプラグをレセプタクルに挿入することができる。また、本明細書において、ＲＦ信号又はアンテナ信号の用語は、アンテナ自身の出力信号（増幅した信号を含む）、ＲＦコネクタを介して供給される外部アンテナからのアンテナ信号、アンテナ信号を周波数変換して無線伝送される信号等を含む意味で使用される。
【００１６】
「ＵＳＢ  Ｔｙｐｅ−Ｃについて」
本技術の説明に先立ってリバーシブルコネクタの一例としてのＵＳＢ  Ｔｙｐｅ−Ｃについて説明する。図１はＵＳＢ  Ｔｙｐｅ−ＣのレセプタクルＲＥの斜視図及び前面から見た正面図である。中間基板１の両面にそれぞれ１２個の接点（ピン）からなる第１の配列２ａ及び第２の配列２ｂがほぼ平行して形成されている。中間基板１、第１及び第２の配列２ａ、２ｂ等がシェル３内に収納されている。
【００１７】
図２は、レセプタクルと接続されるプラグインターフェース（以下、単にプラグと称する）ＰＬを示す。プラグのシェル４内には、レセプタクルが挿入されると第１及び第２の配列２ａ、２ｂの接点と接触するバネ接点（ピン）をそれぞれ有する第１の配列５ａ及び第２の配列５ｂがほぼ平行して設けられている。さらに、シェル４の後部が合成樹脂６で覆われ、ケーブル７が導出されている。第１及び第２の配列５ａ、５ｂはそれぞれ１２個のバネ接点を含む。
【００１８】
図３Ａは、レセプタクルの前面から見たピン配列を示し、図３Ｂはプラグの前面から見たピン配列を示す。ピン配列は、上段にＡ１〜Ａ１２の１２個のピンが整列され、下段にＢ１〜Ｂ１２の１２個のピンが整列されたものである。上段をＡサイドと称し、下段をＢサイドと称する。Ａサイドを上にした状態でプラグをレセプタクルに対して挿入した場合には、同じ名前同士のピン（例えばＡ１−Ａ１、Ｂ１２−Ｂ１２、・・・・）が互いに接続される。この接続を順接続と称する。しかしながら、ケーブルがねじれる等に起因して表裏が反転すると、Ｂサイドを上にした状態でプラグがレセプタクルに対して挿入される。この場合には、レセプタクルのＡサイドにプラグのＢサイドが接続され、レセプタクルのＢサイドにプラグのＡサイドが接続される。この接続を逆接続と称する。このようなプラグの順接続及び逆接続が検出され、接続状態に応じてピンの接続関係を設定するようになされ、何れの接続も可能とされている。
【００１９】
ＵＳＢ  Ｔｙｐｅ−Ｃにおいてピン割当は下記のものと規定されている。
Ａサイド
Ａ１：ＧＮＤ：グラウンド
Ａ２：ＳＳＴＸｐ１：ＵＳＢ３．１で規定されているデータ伝送の＋側
Ａ３：ＳＳＴＸｎ１：ＵＳＢ３．１で規定されているデータ伝送の−側
Ａ４：ＶＢＵＳ  ：バスパワー
Ａ５：ＣＣ１：コンフィギュレーションチャネル
Ａ６：Ｄｐ１（又はＤ＋）：ＵＳＢ２．０で規定されているデータ伝送の＋側
Ａ７：Ｄｎ１（又はＤ−）：ＵＳＢ２．０で規定されているデータ伝送の−側
Ａ８：ＳＢＵ１：サイドバンドユース
Ａ９：ＶＢＵＳ  ：バスパワー
Ａ１０：ＳＳＲＸｎ２：ＵＳＢ３．１で規定されているデータ伝送の−側
Ａ１１：ＳＳＲＸｐ２：ＵＳＢ３．１で規定されているデータ伝送の＋側
Ａ１２：ＧＮＤ：グラウンド
【００２０】
Ｂサイド
Ｂ１２：ＧＮＤ：グラウンド
Ｂ１１：ＳＳＲＸｐ２：ＵＳＢ３．１で規定されているデータ伝送の＋側
Ｂ１０：ＳＳＲＸｎ２：ＵＳＢ３．１で規定されているデータ伝送の−側
Ｂ９：ＶＢＵＳ  ：バスパワー
Ｂ８：ＳＢＵ２：サイドバンドユース
Ｂ７：Ｄｎ２（又はＤ＋）：ＵＳＢ２．０で規定されているデータ伝送の＋側
Ｂ６：Ｄｐ２（又はＤ−）：ＵＳＢ２．０で規定されているデータ伝送の−側
Ｂ５：ＣＣ２：コンフィギュレーションチャネル
Ｂ４：ＶＢＵＳ  ：バスパワー
Ｂ３：ＳＳＴＸｎ２：ＵＳＢ３．１で規定されているデータ伝送の−側
Ｂ２：ＳＳＴＸｐ２：ＵＳＢ３．１で規定されているデータ伝送の＋側
Ｂ１：ＧＮＤ：グラウンド
【００２１】
ＵＳＢ  Ｔｙｐｅ−Ｃは、表裏のどちらの面を上にしてもレセプタクルに挿入できるリバーシブルのコネクタであり、且つ、パワーデリバリー、高速伝送を兼ね備えた次世代のコネクタである。このコネクタには、上記の機能のほかにオーディオアダプタアクセサリーモードと言う規格が設けられている。この記録はアナログのオーディオ信号を通過させることができる規格である。
【００２２】
図４に示すように、ケーブルの一端にヘッドセットと接続された丸型のプラグが挿入されるヘッドセット用のジャック１１が接続され、ケーブルの他端にＵＳＢ  Ｔｙｐｅ−ＣのプラグＰＬが接続された変換ケーブルが使用される。オーディオアダプタアクセサリーモードでは、従来の３．５mm直径のジャックにおける４個のアナログオーディオ信号が伝送される。すなわち、ジャックに対して挿入されるプラグのチップ（レフトチャンネル端子）と接続される電極１２ａと、プラグのリング１（ライトチャンネル端子）と接続される電極１２ｂと、リング２（マイクロホン端子）と接続される電極１２ｃと、プラグのスリーブ（グラウンド端子）と接続される電極１２ｄとを有する。これらの電極から延びるケーブルがプラグＰＬの所定のピンと接続される。
【００２３】
さらに、ジャック１１は検出スイッチ１３を有する。検出スイッチ１３は、丸形プラグがジャック１１に挿入される時にＯＮとなる機械的スイッチである。検出スイッチ１３がＯＮする時にプラグＰＬの所定のピン（Ａ５：ＣＣ及びＢ５：ＶＣＯＮＮ）が検出スイッチ１３を通じてショートされ、デジタルグラウンドに接続される。すなわち、ＣＣ及びＶＣＯＮＮ間がショートしていることを確認すると、オーディオアダプタアクセサリーモードへ移行する。
【００２４】
オーディオアダプタアクセサリーモードにおいてピン割当は下記のものと規定されている。
Ａ５：ＣＣ：システムがオーディオアダプタアクセサリーモードの検出用に使用する。
Ｂ５：ＶＣＯＮＮ：システムがオーディオアダプタアクセサリーモードの検出用に使用する。
ヘッドセットが接続されると、Ａ５（ＣＣ）とＢ５（ＶＣＯＮＮ）があるインピーダンス値Ｒａ以下の抵抗を通じてＧＮＤにつながることによって、ヘッドセットの接続が検出される。Ａ５（ＣＣ）とＢ５（ＶＣＯＮＮ）が短絡する場合、端子からＧＮＤ間のインピーダンス値はＲａ／２未満となる。なお、このＲａは、ＵＳＢ  Ｔｙｐｅ−Ｃの規格でインピーダンス値が規定されている。
Ａ６／Ｂ６：Ｄｐ（又はＤ＋）：ライト：３．５mmジャックのリング１：Ａ６及びＢ６はアダプタ内で互いに接続される。
Ａ７／Ｂ７：Ｄｎ（又はＤ−）：レフト：３．５mmジャックのチップ：Ａ７及びＢ７はアダプタ内で互いに接続される。
Ａ８：ＳＢＵ１：マイク／オーディオグラウンド：３．５mmジャックのリング２
Ｂ８：ＳＢＵ２：マイク／オーディオグラウンド：３．５mmジャックのスリーブ
Ａ１／Ａ１２，Ｂ１／Ｂ１２：ＧＮＤ：デジタルグラウンド
Ａ４／Ａ９，Ｂ４／Ｂ９：ＶＢＵＳ：システムのバッテリを充電する電流を供給
上述以外のピンは非接続である。
【００２５】
オーディオアダプタアクセサリーモードにおいては、上述した割当のピン以外のピン（Ａ２／Ａ３、Ａ１０／Ａ１１、Ｂ２／Ｂ３、Ｂ１０／Ｂ１１、Ａ４／Ａ９、Ｂ４／Ｂ９）は使用されない。また、Ａ６／Ｂ６、Ａ７／Ｂ７などのように、一つの信号に対して二つのピンが割り当てられているのは、レセプタクルに対してプラグを順接続及び逆接続しても支障が生じないようにするためである。しかしながら、マイク及びオーディオグランド（又はアナロググランド）に関しては、ピン数の制限からそれぞれ一つのピンしか割り当てられていない。したがって、順接続の場合では、例えばピンＡ８がマイクで、ピンＢ８がオーディオグランドであり、逆接続の場合では、例えばピンＡ８がオーディオグランドで、ピンＢ８がマイクとなる。このように、マイク及びオーディオグランドに関してはピン割当が固定されていないので、セット側で判別をする必要がある。
【００２６】
図５は、アナログオーディオ信号をＵＳＢ  Ｔｙｐｅ−Ｃの接続を通じて伝送するための構成の一例を示す。オーディオアクセサリー１００とセット（ノートＰＣ又はスマートフォン）２００がプラグＰＬ０及びレセプタクルＲＥ０によって接続される。オーディオアクセサリー１００には、ヘッドセットスピーカ１０１が設けられており、Ｄ＋及びＤ−のピンを通じて供給されたアナログオーディオ信号がヘッドセットスピーカ１０１によって再生される。
【００２７】
セット側には、切り替え回路２０１が設けられている。切り替え回路２０１は、検出デバイス２０４の出力ＧＰＩＯによって制御され、ＵＳＢインターフェース２０２とオーディオコーデック２０３の一方とレセプタクルＲＥ０のデータ用のピンＤ＋及びＤ−を接続する。すなわち、オーディオアダプタアクセサリーモードを検出デバイス２０４が検出すると、オーディオコーデック２０３が選択され、そうでない場合には、ＵＳＢインターフェース２０２が選択される。検出デバイス２０４は、上述したように、ＣＣ及びＶＣＯＮＮ間がショートしていることを検出すると、オーディオアダプタアクセサリーモードと判定する。
【００２８】
さらに、マイク及びオーディオグランド判定回路２０５が設けられている。マイク及びオーディオグランド判定回路２０５は、ピンＡ８及びＢ８に関してマイク及びオーディオグランドを特定するための検出回路である。図５の構成によって、まず、検出デバイス２０４によってモードが検出され、次に、検出結果によって切り替え回路２０１が制御され、さらに、オーディオアダプタアクセサリーモードの場合では、マイク及びオーディオグランドのピンが確定される。
【００２９】
本技術は、上述したオーディオアダプタアクセサリーモードにおいて、ＵＳＢ  Ｔｙｐｅ−Ｃの規格に準拠しながら、ＲＦ信号をセット（受信装置）に対して供給できるようにしたものである。
【００３０】
本技術の第１の実施の形態においては、受信機のレセプタクルにおいて４個のグラウンド用ピンの中で対角線方向に位置する２個のグラウンド用のピンを使用してＲＦ信号を受信する。すなわち、ピンＡ１及びＢ１、又はピンＡ１２及びＢ１２を介してＲＦ信号が供給される。このようにすれば、プラグが順接続及び逆接続の何れの場合でも、並びにプラグに対するＲＦ信号の入力が一つのピンである場合でも、ＲＦ信号を確実に入力することができる。
【００３１】
ここで、４個のグラウンド用のピンの接続関係について述べると以下のようになる。
順接続時には、（レセプタクル側のピンＡ１−プラグ側のピンＡ１）（レセプタクル側のピンＢ１−プラグ側のピンＢ１）（レセプタクル側のピンＡ１２−プラグ側のピンＡ１２）（レセプタクル側のピンＢ１２−プラグ側のピンＢ１２）が接続される。
逆接続時には、（レセプタクル側のピンＡ１−プラグ側のピンＢ１）（レセプタクル側のピンＢ１−プラグ側のピンＡ１）（レセプタクル側のピンＡ１２−プラグ側のピンＢ１２）（レセプタクル側のピンＢ１２−プラグ側のピンＡ１２）が接続される。
【００３２】
「第１の実施の形態における変換ケーブルの構成例」
図６は第１の実施の形態における変換ケーブルの構成を示す。図４と同様にヘッドセットが接続されるジャック１１とプラグＰＬ１がケーブルを介して接続されている。ヘッドセットは、ジャック１１に挿入される丸型の４極プラグに対してイヤホンケーブルを介してイヤホンが接続された構成を有する。さらに、左右のチャンネルに対して共通のグラウンドラインのイヤホンケーブルが設けられる。ジャック１１はプラグが挿入されるとＯＮする検出スイッチ１３を有する。
【００３３】
ジャック１１の電極１２ａからインダクタンス素子１５ａを介してレフトチャネルの信号ラインが引き出され、プラグＰＬ１の少なくともピンＡ７または、Ｂ７と接続される。ジャック１１の電極１２ｂからインダクタンス素子１５ｂを介してライトチャネルの信号ラインが引き出され、プラグＰＬ１の少なくともピンＡ６または、Ｂ６と接続される。ジャック１１の電極１２ｃからインダクタンス素子１５ｃを介してオーディオグラウンドのラインが引き出され、プラグＰＬ１のピンＡ８と接続される。ジャック１１の電極１２ｄからインダクタンス素子１５ｄを介してマイクロホンのラインが引き出され、プラグＰＬ１のピンＢ８と接続される。
【００３４】
検出スイッチ１３の一方の接点から引き出されたラインがインダクタンス素子１５ｅを介してプラグＰＬ１のピンＡ５（ＣＣ）及びＢ５（ＶＣＯＮＮ）と接続され、検出スイッチ１３の他方の接点から引き出されたラインがインダクタンス素子１５ｅを介してピンＡ１２（ＧＮＤ）及びピンＢ１２（ＧＮＤ）に接続される。ジャック１１にヘッドセットのオーディオプラグが挿入されると、検出スイッチ１３がＯＮし、ピンＡ５（ＣＣ）及びＢ５（ＶＣＯＮＮ）がショートしてオーディオアダプタアクセサリーモードが認識される。なお、インダクタンス素子１５ａ〜１５ｆは、所望の帯域（例えばデジタルテレビジョン放送の帯域）において、インピーダンスが高くなり、ラインでの結合を防止するためのインダクタ、フエライトビーズ等の高周波遮断装置である。
【００３５】
さらに、ジャック１１とＵＳＢ  Ｔｙｐｅ−ＣのプラグＰＬ１を結ぶケーブルは、上述した６本のラインに加えて編組銅線の構成のシールド線１４を有する。ケーブルのシールド線１４がモノポールアンテナとして機能する。例えばケーブルの長さが約λ／４（λ：受信周波数の波長）に設定されている。シールド線１４がプラグＰＬ１のピンＢ１に接続される。したがって、アンテナ信号がプラグＰＬ１のピンＢ１に対して供給される。これらのピンＡ１及びＢ１は、ピン配列の対角線方向に位置するピンである。
【００３６】
上述した第１の実施の形態におけるジャック１１及びプラグＰＬ１が所定長のケーブルを介して接続された構成は、アンテナ付きケーブルとして動作する。例えばテレビジョン放送を携帯端末等の受信機によって受信しながら視聴している番組の音声をヘッドセットによって聴くことができる。したがって、受信機のＵＳＢ  Ｔｙｐｅ−Ｃのインターフェースの機能を高速データ伝送以外にアナログオーディオ信号の伝送及びアンテナ信号の伝送に拡張することができる。
【００３７】
「第１の実施の形態における受信機側の構成例」
図７は、受信機側のレセプタクルＲＥ１に関連する構成を示している。本技術の第１の実施の形態では、レセプタクル（又はプラグ）を正面から見た時に対角位置に存在するピンＡ１（ＧＮＤ）及びＢ１（ＧＮＤ）を通じてＲＦ信号を伝送する。前述したように、ＲＦ信号としてのアンテナ信号がプラグＰＬ１のピンＢ１に対して供給されている。プラグＰＬ１がレセプタクルＲＥ１に順接続される場合には、レセプタクルＲＥ１のピンＢ１にアンテナ信号が供給され、プラグＰＬ１がレセプタクルＲＥ１に逆接続される場合には、レセプタクルＲＥ１のピンＡ１にアンテナ信号が供給される。すなわち、表面及び裏面のどちらを上にしてもプラグＰＬ１がレセプタクルＲＥ１に挿入できるので、レセプタクルＲＥ１のピンＡ１及びＢ１の一方からアンテナ信号が受信機に対して入力される。
【００３８】
レセプタクルＲＥ１のピンＡ１がコンデンサ１７ａを介してスイッチ１８の端子ａと接続され、レセプタクルＲＥ１のピンＢ１がコンデンサ１７ｂを介してスイッチ１８の端子ｂと接続される。スイッチ１８の出力端子ｃがチューナ、アンプ等のＲＦ回路ＲＦＣの入力端子と接続される。コンデンサ１７ａ及び１７ｂは、必要となる周波数を通過させるためのキャパシタであり、受信機の入力側には５０Ωの高周波伝送ラインとして配線されている。
【００３９】
レセプタクルＲＥ１のピンＡ１がインダクタンス素子１６ａを介して接地され、ピンＢ１がインダクタンス素子１６ｂを介して接地される。インダクタンス素子１６ａ及び１６ｂは、所望の帯域（例えばデジタルテレビジョン放送の帯域）において、インピーダンスが高くなるインダクタ、フエライトビーズ等の高周波遮断装置である。オーディオアダプタアクセサリーモード以外ではインダクタンス素子１６ａ及び１６ｂのインピーダンスが低いので、グラウンドとして機能する。
【００４０】
スイッチ１８は、コントロール信号によって切り替えられる。一例として、スイッチ１８の出力信号からアンテナ信号の有無が検出され、スイッチ１８の出力端子ｃからの信号がアンテナ信号の場合には、スイッチ１８の接続状態を現状のままとし、スイッチ１８の出力端子ｃにアンテナ信号が検出できない場合には、スイッチ１８の接続状態を現在の状態から切り替える。コントロール信号は他の方法によって形成してもよい。例えばプラグＰＬ１の順接続と逆接続の検出に応じたコントロール信号を形成してもよい。
【００４１】
さらに、スイッチ１８の切り替え方法としては、マニュアルで行うこともできる。例えばスイッチの出力にアンテナ信号が検出できない場合には、表示装置の画面上にアンテナ信号が検出できない旨のポップアップ画面を表示して視聴者に対してスイッチ１８の切り替えを促すようになされる。
【００４２】
なお、アンテナ入力端子（ピンＡ１及びＢ１）に近接している高速の差動伝送のためのピンＡ２，Ａ３並びにＡ１０，Ａ１１のそれぞれに対してアンテナ入力とのアイソレーションを確保するためにコモンモードチョークコイルＴＡ１及びＴＡ２が接続されている。同様に、高速の差動伝送のためのピンＢ１０，Ｂ１１並びにＢ２，Ｂ３のそれぞれに対してコモンモードチョークコイルＴＢ１及びＴＢ２が接続されている。
【００４３】
上述した受信機側の構成（レセプタクルＲＥ１）によれば、アンテナケーブルの機能を有するケーブルと接続されたプラグＰＬ１がどのような向きで接続されてもアンテナ信号を受け取ることができ、テレビジョン放送を受信すると共に、ヘッドセットによって音声を聴くことができる。
【００４４】
「第１の実施の形態におけるケーブルの構成例」
図８は第１の実施の形態におけるケーブルの構成例（プラグＰＬ２）を示す。上述した変換ケーブルは、ジャック１１とプラグＰＬ１がケーブルを介して接続されている構成であるのに対して、プラグＰＬ２はジャック１１（検出スイッチ１３）を有しない構成である。オーディオアダプタアクセサリーモードが認識されるために、プラグＰＬ２のピンＡ５（ＣＣ）及びＢ５（ＶＣＯＮＮ）が互いにピンＡ１２（ＧＮＤ）及びＢ１２（ＧＮＤ）に接続される。
【００４５】
プラグＰＬ２には、ここでは、図示しないが、基板が接続されており、アンテナ信号入力ライン１９が、基板上に形成されている。このアンテナ入力ライン１９に、ここで図示しないが、直接受信したい周波数の約λ／４（λ：受信周波数の波長）のアンテナ素子を接続して、モノポールアンテナを構成している。但し、アンテナ素子の長さは、接続される機器によっても変わるので、必ずしもこの長さである必要はない。また、同軸ケーブルを介して直接アンテナ信号をプラグＰＬ２に対して入力してもよい。すなわち、同軸ケーブルの芯線がアンテナ信号入力ライン１９に接続され、プラグＰＬ２のピンＢ１に対して接続される。図示しないが同軸ケーブルのシールド線が対角線方向に位置するピンＢ１及びＡ１以外のＧＮＤピンここでは、Ａ１２，Ｂ１２に接続されて５０Ω等のＲＦラインが構成される。また、同軸ケーブルのプラグＰＬ２と反対端にＲＦコネクタ例えばＦコネクタが接続され、家の外部にある屋外のテレビアンテナと接続することも可能である。かかるプラグＰＬ２も図７を参照して説明したレセプタクルＲＥ１に対して接続され、アンテナ信号が伝送される。
【００４６】
＜２．第２の実施の形態＞
「第２の実施の形態における変換ケーブルの構成例」
図９は第２の実施の形態における変換ケーブルの構成を示す。図６に示す第１の実施の形態の変換ケーブルと同様にヘッドセットが接続されるジャック１１とプラグＰＬ３がケーブルを介して接続されている。ヘッドセットは、ジャック１１に挿入される丸型の４極プラグに対してイヤホンケーブルを介してイヤホンが接続された構成を有する。さらに、左右のチャンネルに対して共通のグラウンドラインのイヤホンケーブルが設けられる。ジャック１１はプラグが挿入されるとＯＮする検出スイッチ１３を有する。
【００４７】
ジャック１１の電極１２ａからインダクタンス素子１５ａを介してレフトチャネルの信号ラインが引き出され、プラグＰＬ３の少なくともピンＡ７またはＢ７と接続される。ジャック１１の電極１２ｂからインダクタンス素子１５ｂを介してライトチャネルの信号ラインが引き出され、プラグＰＬ３の少なくともピンＡ６またはＢ６と接続される。ジャック１１の電極１２ｃからインダクタンス素子１５ｃを介してオーディオグラウンドのラインが引き出され、プラグＰＬ３のピンＡ８と接続される。ジャック１１の電極１２ｄからインダクタンス素子１５ｄを介してマイクロホンのラインが引き出され、プラグＰＬ３のピンＢ８と接続される。
【００４８】
検出スイッチ１３の一方の接点から引き出されたラインがインダクタンス素子１５ｅを介してプラグＰＬ３のピンＡ５（ＣＣ）及びＢ５（ＶＣＯＮＮ）と接続され、検出スイッチ１３の他方の接点から引き出されたラインがインダクタンス素子１５ｅを介してピンＡ１２（ＧＮＤ）及びピンＢ１２（ＧＮＤ）に接続される。ジャック１１にヘッドセットのオーディオプラグが挿入されると、検出スイッチ１３がＯＮし、ピンＡ５（ＣＣ）及びＢ５（ＶＣＯＮＮ）がショートしてオーディオアダプタアクセサリーモードが認識される。なお、インダクタンス素子１５ａ〜１５ｆは、所望の帯域（例えばデジタルテレビジョン放送の帯域）において、インピーダンスが高くなり、ラインでの結合を防止するためのインダクタ、フエライトビーズ等の高周波遮断素子である。
【００４９】
さらに、ジャック１１とＵＳＢ  Ｔｙｐｅ−ＣのプラグＰＬ３を結ぶケーブルは、上述した６本のラインに加えて編組銅線の構成のシールド線１４を有する。ケーブルのシールド線１４がモノポールアンテナとして機能する。例えばケーブルの長さが約λ／４（λ：受信周波数の波長）に設定されている。シールド線１４がプラグＰＬ３のピンＡ１及びピンＢ１に接続される。これらのピンＡ１及びＢ１は、ピン配列の対角線方向に位置するピンである。したがって、アンテナ信号がプラグＰＬ３のピンＡ１及びピンＢ１に対して供給される。また、ＲＦの信号長が同じになるように、ピンＡ１及びピンＢ１に分岐される部分の信号経路の長さが等しくされる。
【００５０】
上述した第２の実施の形態におけるジャック１１及びプラグＰＬ３が所定長のケーブルを介して接続された構成は、変換ケーブルとして動作する。例えばテレビジョン放送を携帯端末等の受信機によって受信しながら視聴している番組の音声をヘッドセットによって聴くことができる。したがって、受信機のＵＳＢ  Ｔｙｐｅ−Ｃのインターフェースの機能を高速データ伝送以外にアナログオーディオ信号の伝送及びアンテナ信号の伝送に拡張することができる。第１の実施の形態における変換ケーブルとの相違点は、アンテナ信号がピンＡ１及びピンＢ１の両方に対して供給されることである。
【００５１】
図１０は、図９と同様の構成を示すものである。図１０では、ジャック１１（例えば６極ジャック）とプラグＰＬ３の間の同軸ケーブル３１が示されている。同軸ケーブル３１のシールド線１４がプラグＰＬ３のピンＡ１及びＢ１に接続される箇所が給電点となる。この給電点とピンＡ１及びＢ１の間が５０Ωの高周波ラインによって接続される。
【００５２】
「第２の実施の形態における受信機側の構成例」
図１１は、受信機側のレセプタクルＲＥ２に関連する構成を示している。本技術の第２の実施の形態では、レセプタクル（又はプラグ）を正面から見た時に対角位置に存在するピンＡ１（ＧＮＤ）及びＢ１（ＧＮＤ）の両方に対してＲＦ信号が供給される。前述したように、ＲＦ信号としてのアンテナ信号がプラグＰＬ３のピンＡ１及びピンＢ１に対して供給されている。プラグＰＬ３がレセプタクルＲＥ２に順接続及び逆接続のいずれの場合でも、レセプタクルＲＥ２のピンＡ１及びピンＢ１にＲＥ信号が供給される。すなわち、表面及び裏面のどちらを上にしてもプラグＰＬ３がレセプタクルＲＥ２に挿入できるので、レセプタクルＲＥ２のピンＡ１及びＢ１の両方からアンテナ信号が受信機に対して入力される。かかる第２の実施の形態は、第１の実施の形態と異なり、受信機側にＲＦ信号を切り替えるためのスイッチを設ける必要がない。
【００５３】
レセプタクルＲＥ２のピンＢ１がコンデンサ１７ｂを介して受信機内のチューナ、アンプ等のＲＦ回路ＲＦＣの入力端子と接続される。ＲＦ回路の入力端子は、通常一つであるので、アンテナ側が接続されるレセプタクルＲＥ２のピンＡ１がＲＦ回路の入力端子と接続されない。このピンＡ１に関する配線の物理長が信号ライン（ピンＢ１を経由するライン）のスタブとして機能し、必要な周波数帯域をリジェクトする可能性がある。そこで、所望帯域においてスタブとならないように調整するために、レセプタクルＲＥ２のピンＡ１に対してスタブ２０が接続され、スタブ２０の電気長（スタブ長）を設定することによって所望の周波数帯域における影響を除いている。
【００５４】
レセプタクルＲＥ２のピンＡ１がインダクタンス素子１６ａを介して接地され、ピンＢ１がインダクタンス素子１６ｂを介して接地される。インダクタンス素子１６ａ及び１６ｂは、所望の帯域（例えばデジタルテレビジョン放送の帯域）において、インピーダンスが高くなるインダクタ、フエライトビーズ等の高周波遮断素子である。オーディオアダプタアクセサリーモード以外ではインダクタンス素子１６ａ及び１６ｂのインピーダンスが低いので、グラウンドとして機能する。
【００５５】
なお、アンテナ入力端子（ピンＡ１及びＢ１）に近接している高速の差動伝送のためのピンＡ２，Ａ３並びにＡ１０，Ａ１１のそれぞれに対してアンテナ入力とのアイソレーションを確保するためにコモンモードチョークコイルＴＡ１及びＴＡ２が接続されている。同様に、高速の差動伝送のためのピンＢ１０，Ｂ１１並びにＢ２，Ｂ３のそれぞれに対してコモンモードチョークコイルＴＢ１及びＴＢ２が接続されている。
【００５６】
上述した受信機側の構成（レセプタクルＲＥ２）によれば、アンテナケーブルの機能を有するケーブルと接続されたプラグＰＬ３がどのような向きで接続されてもアンテナ信号を受け取ることができ、テレビジョン放送を受信すると共に、ヘッドセットによって音声を聴くことができる。さらに、第１の実施の形態のようにスイッチでＲＦ信号を選択することが必要ない。
【００５７】
図１２は、図１１と同様の構成を示すものである。図１２では、図１１において省略されているピンの割当（ＶＢＵＳを除くオーディオアダプタアクセサリーモードに使用するピン）が示されている。
【００５８】
「第２の実施の形態のアンテナゲイン」
上述した第２の実施の形態のピークアンテナゲインをシミュレーションにより求めた結果を図１３Ａ及び図１３Ｂに示す。図１３Ａは、プラグをレセプタクルに順接続した場合のピークアンテナゲインであり、図１３Ｂは、プラグをレセプタクルに逆接続した場合のピークアンテナゲインである。横軸は、地上波デジタルテレビジョン放送が行われている周波数帯域ＵＨＦ(Ultra High Frequency ）帯（４７０ＭＨｚ〜８００ＭＨｚ）を示している。縦軸がピークゲイン（ｄＢｄ）を示す。ｄＢｄは、ダイポールアンテナとの比較の値である。（ｄＢｄ＝２．１５ｄＢｉ）の関係にある。ｄＢｉは、アンテナ利得（絶対利得）である。
【００５９】
図１３において、４１Ｈ及び４２Ｈで示すグラフが水平偏波受信時の周波数−ゲイン特性を示し、４１Ｖ及び４２Ｖで示すグラフが垂直偏波受信時の周波数−ゲイン特性を示す。表１及び表２がグラフ４１Ｈ及び４１Ｖのデータを示し、表３及び表４がグラフ４２Ｈ及び４２Ｖのデータを示す。図１３からわかるように、本技術の第２の実施の形態のアンテナは、順接続及び逆接続のいずれでも性能差がなく、テレビジョン放送電波を受信することができる。
【００６０】
【表１】
2017170419.tif 000003
【００６１】
【表２】
2017170419.tif 000004
【００６２】
【表３】
2017170419.tif 000005
【００６３】
【表４】
2017170419.tif 000006
【００６４】
「第２の実施の形態におけるケーブルの構成例」
図１４は第２の実施の形態におけるケーブルの構成の他の例（プラグＰＬ４）を示す。上述した変換ケーブルは、ジャック１１とプラグＰＬ３がケーブルを介して接続されている構成であるのに対して、プラグＰＬ４はジャック１１（検出スイッチ１３）を有しない構成である。オーディオアダプタアクセサリーモードが認識されるために、プラグＰＬ４のピンＡ５（ＣＣ）及びＢ５（ＶＣＯＮＮ）が互いにピンＡ１２（ＧＮＤ）及びＢ１２（ＧＮＤ）に接続される。
【００６５】
プラグＰＬ４には、ここでは、図示しないが、基板が接続されており、アンテナ信号入力ライン１９が、基板上に形成されている。この基板上において、アンテナ信号入力ライン１９は、プラグＰＬ４のピンＡ１及びＢ１の両方に対して接続される。このアンテナ入力ライン１９に、ここで図示しなないが、直接受信したい周波数の約λ／４（λ：受信周波数の波長）のアンテナ素子を接続して、モノポールアンテナを構成している。但し、アンテナ素子の長さは、接続される機器によっても変わるので、必ずしもこの長さである必要はない。また、同軸ケーブルを介して直接アンテナ信号をプラグＰＬ４に対して入力してもよい。すなわち、同軸ケーブルの芯線がアンテナ信号入力ライン１９に接続され、プラグＰＬ４のＡ１及びＢ１の両方に対して接続される。図示しないが同軸ケーブルのシールド線が対角線方向に位置するピンＢ１及びＡ１以外のＧＮＤピンここでは、Ａ１２，Ｂ１２に接続されて５０Ω等のＲＦラインが構成される。かかるプラグＰＬ４も図７を参照して説明したレセプタクルＲＥ１または、図１１を参照し説明したＲＥ２に対して接続され、アンテナ信号が伝送される。
【００６６】
また、図１５に示すように、同軸ケーブル３１のプラグＰＬ４と反対端にＲＦコネクタ例えばＦコネクタ３３が接続され、家の外部にある屋外のテレビアンテナと接続することも可能である。すなわち、Ｆコネクタ３３の芯線と同軸ケーブル３１の芯線が接続され、同軸ケーブル３１のシールド線１４をＦコネクタ３３のシールド部に接続する。シールド線１４がアンテナ入力ライン１９に相当する。同軸ケーブル３１の芯線が５０Ω等のＲＦラインを介してピンＡ１及びＢ１と接続される。同軸ケーブル３１のシールド線１４がピンＡ５（ＣＣ）、Ａ１２（ＧＮＤ）、Ｂ５（ＶＣＯＮＮ）及びＢ１２（ＧＮＤ）と接続される。図１５の構成は、アンテナ入力用のＲＦラインがピンＡ１及びＢ１と接続されるものであるが、片方のピンと接続される構成も可能である。
【００６７】
図１６は、かかる「ＵＳＢ  Ｔｙｐｅ−Ｃ−Ｆコネクタ変換ケーブル」のシミュレーションにより求めた通過特性Ｓ２１を示すグラフである。測定対象のケーブルは、雷対策のためにキャパシタが挿入されたもので、通過特性に対してはロスとなって影響を及ぼす。しかしながら、そのロスはテレビジョン帯で３〔ｄＢ〕以内であり、問題のないレベルである。
【００６８】
＜３．第３の実施の形態＞
上述した第１及び第２の実施の形態は、単一のＲＦ信号を伝送する例であるのに対して、第３の実施の形態は、複数のＲＦ信号を伝送する場合に適用される。例えばダイバーシティ方式、ＭＩＭＯ(Multiple Input Multiple Output)のような複数のアンテナを用いる場合では、複数のアンテナ信号を伝送する必要がある。
【００６９】
「第３の実施の形態におけるケーブルの構成例」
図１７は第３の実施の形態におけるケーブルの構成の例（プラグＰＬ５）を示す。オーディオアダプタアクセサリーモードが認識されるために、プラグＰＬ４のピンＡ５（ＣＣ）及びＢ５（ＶＣＯＮＮ）が互いにピンＡ１２（ＧＮＤ）及びＢ１２（ＧＮＤ）に接続される。プラグＰＬ５には、ここでは、図示しないが、基板が接続されており、２本のアンテナ信号入力ライン２１、２２が、基板上に形成されている。この２本のアンテナ信号入力ラインを用いて、ダイバーシティを構成している。この基板上において、一方のアンテナ信号入力ライン２１は、プラグＰＬ５のピンＢ１に対して接続される。このアンテナ信号入力ライン２１に、ここで図示しないが、直接受信したい周波数の約λ／４（λ：受信周波数の波長）のアンテナ素子を接続して、モノポールアンテナを構成している。他方のアンテナ信号入力ライン２２は、プラグＰＬ５のピンＡ１に対して接続される。このアンテナ信号入力ライン２２に、ここで図示しないが、直接受信したい周波数の約λ／４（λ：受信周波数の波長）のアンテナ素子を接続して、モノポールアンテナを構成している。但し、両アンテナ素子の長さは、接続される機器によっても変わるので、必ずしもこの長さである必要はない。また、同軸ケーブルを介して直接アンテナ信号をプラグＰＬ５に対して入力してもよい。すなわち、２本の同軸ケーブルの芯線がそれぞれのアンテナ信号入力ライン２１、２２に接続され、プラグＰＬ５のＡ１とＢ１のそれぞれに対して接続される。図示しないが２本の同軸ケーブルのシールド線が対角線方向に位置するピンＢ１及びＡ１以外のＧＮＤピンここでは、Ａ１２，Ｂ１２に接続されて５０Ω等のＲＦラインが構成される。また、２本同軸ケーブルのプラグＰＬ５と反対端にそれぞれＲＦコネクタ例えばＦコネクタが接続され、それぞれの外部のテレビアンテナと接続することも可能である。
【００７０】
「第３の実施の形態における受信機側の構成例」
図１８は、受信機側のレセプタクルＲＥ３に関連する構成を示している。本技術の第３の実施の形態では、レセプタクル（又はプラグ）を正面から見た時に対角位置に存在するピンＡ１（ＧＮＤ）及びＢ１（ＧＮＤ）のそれぞれに独立した二つのＲＦ信号が供給される。
【００７１】
レセプタクルＲＥ３のピンＡ１がコンデンサ１７ａを介して受信機内のＲＦ回路ＲＦＣ１の入力端子と接続される。レセプタクルＲＥ３のピンＢ１がコンデンサ１７ｂを介して受信機内のＲＦ回路ＲＦＣ２の入力端子と接続される。ＲＦ回路ＲＦＣ１及びＲＦＣ２は、ダイバーシティ方式によって受信を行うようになされている。なお、プラグＰＬ５がレセプタクルＲＥ３に接続される向き（順接続及又は逆接続）に応じてピンＡ１及びＢ１とＲＦ機器の二つの入力端子の間の接続を設定する回路が設けられている。
【００７２】
レセプタクルＲＥ３のピンＡ１がインダクタンス素子１６ａを介して接地され、ピンＢ１がインダクタンス素子１６ｂを介して接地される。インダクタンス素子１６ａ及び１６ｂは、所望の帯域において、インピーダンスが高くなるインダクタ、フエライトビーズ等の高周波遮断素子である。オーディオアダプタアクセサリーモード以外ではインダクタンス素子１６ａ及び１６ｂのインピーダンスが低いので、グラウンドとして機能する。
【００７３】
なお、アンテナ入力端子（ピンＡ１及びＢ１）に近接している高速の差動伝送のためのピンＡ２，Ａ３並びにＡ１０，Ａ１１のそれぞれに対してアンテナ入力とのアイソレーションを確保するためにコモンモードチョークコイルＴＡ１及びＴＡ２が接続されている。同様に、高速の差動伝送のためのピンＢ１０，Ｂ１１並びにＢ２，Ｂ３のそれぞれに対してコモンモードチョークコイルＴＢ１及びＴＢ２が接続されている。
【００７４】
＜４．変形例＞
以上、本技術の実施の形態について具体的に説明したが、上述の各実施の形態に限定されるものではなく、本技術の技術的思想に基づく各種の変形が可能である。例えば、上述の実施の形態において挙げた構成、方法、工程、形状、材料及び数値などはあくまでも例に過ぎず、必要に応じてこれと異なる構成、方法、工程、形状、材料及び数値などを用いてもよい。例えば第２の実施の形態のレセプタクルＲＥ２（図１１）において、ＲＦ信号が供給されるピンＡ１及びＢ１を互いに接続するようにしてもよい。さらに、以上の説明では、ＵＳＢ  Ｔｙｐｅ−Ｃのインターフェースを通じてアナログオーディオ信号を伝送する例について説明したが、オーディオアクセサリー側にＤ／Ａコンバータを設け、ＵＳＢ  Ｔｙｐｅ−Ｃのインターフェースを通じてデジタルオーディオデータを伝送する場合に対しても本技術を適用することができる。
【００７５】
なお、本技術は、以下のような構成も取ることができる。
（１）
表面及び裏面が一の状態と、表面及び裏面が反転された他の状態の何れでもプラグを挿入することができるコネクタを有し、
前記コネクタに複数のピンからなる第１の配列と複数のピンからなる第２の配列がほぼ平行して設けられており、
前記第１の配列に含まれる第１のピンと、前記第２の配列に含まれ、前記第１のピンの対角に位置する第２のピンの両方又は一方をＲＦ信号入力用に設定した受信機。
（２）
前記第１及び第２のピンがグラウンド端子である（１）に記載の受信機。
（３）
前記第１及び第２のピンの両方がＲＦ信号入力用とされる場合に、前記ＲＦ信号の周波数帯域においてハイインピーダンスとなる高周波遮断素子を介してグラウンドに接続され、且つ、ＲＦ信号を通過させるキャパシタを介してＲＦ入力端子に接続される（１）又は（２）に記載の受信機。
（４）
前記第１のピン及び前記第２のピンの両方がＲＦ信号入力用に設定され、
前記第１のピン及び前記第２のピンの一方からのＲＦ信号を選択してＲＦ入力端子に供給する切り替え手段を有する（１）（２）（３）の何れかに記載の受信機。
（５）
前記第１のピン及び前記第２のピンの一方に対してＲＦ信号が入力され、
前記ＲＦ入力端子に供給されるＲＦ信号のレベルを検出し、検出結果によって前記切り替え手段を切り替えるようにした（４）に記載の受信機。
（６）
前記第１のピン及び前記第２のピンの両方に対してＲＦ信号が入力される場合に、前記第１のピン及び前記第２のピンを共通接続してＲＦ信号入力用に設定するようにした（１）（２）（３）の何れかに記載の受信機。
（７）
前記第１のピン及び前記第２のピンの両方に対してＲＦ信号が入力される場合に、前記第１のピン及び前記第２のピンの一方をＲＦ信号入力用に設定し、前記第１のピン及び前記第２のピンの他方が使用帯域内において、プラグとコネクタの長さを含んだスタブとして機能しないように、配線長を調整したり、インダクタや、キャパシタで調整されている（１）（２）（３）の何れかに記載の受信機。
（８）
前記コネクタは、ＵＳＢ  Ｔｙｐｅ−Ｃの規格で規定されているプラグが挿入可能な（１）（２）（３）の何れかに記載の受信機。
（９）
ＣＣピンとＶＣＯＮＮピンがショートされるＵＳＢ  Ｔｙｐｅ−Ｃの規格で規定されているオーディオアダプタアクセサリーモードがＲＦ信号の入力に使用される（８）に記載の受信機。
（１０）
表面及び裏面が一の状態と、表面及び裏面が反転された他の状態の何れでもコネクタに対して挿入することができるプラグと
前記プラグに対してＲＦ信号を供給するケーブルとを有し、
前記プラグに複数のピンからなる第１の配列と複数のピンからなる第２の配列がほぼ平行して設けられており、
前記第１の配列に含まれる第１のピンと、前記第２の配列に含まれ、前記第１のピンの対角に位置する第２のピンの両方又は片方をＲＦ信号供給用に設定したＲＦ信号供給装置。
（１１）
前記ケーブルがアンテナの機能を有し、前記アンテナの出力が前記ＲＦ信号として前記第１のピン及び前記第２のピンの両方又は一方に供給される（１０）に記載のＲＦ信号供給装置。
（１２）
前記プラグは、ＵＳＢ  Ｔｙｐｅ−Ｃの規格で規定されたものである（１０）又は（１１）に記載のＲＦ信号供給装置。
（１３）
前記ケーブルに対してヘッドセット接続用のジャックが接続された（１０）（１１）（１２）の何れかに記載のＲＦ信号供給装置。
（１４）
前記ケーブルに対してＲＦ信号伝送用のコネクタが接続された（１０）（１１）（１２）の何れかに記載のＲＦ信号供給装置。
【符号の説明】
【００７６】
ＲＥ，ＲＥ１〜ＲＥ３・・・レセプタクル
ＰＬ，ＰＬ１〜ＰＬ５・・・プラグ
ＲＦＣ，ＲＦＣ１，ＲＦＣ２・・・ＲＦ回路
１１・・・ジャック
１３・・・検出スイッチ
１４・・・シールド線
１８・・・スイッチ
２０・・・スタブ
【図１】
2017170419.tif 000007
【図２】
2017170419.tif 000008
【図３】
2017170419.tif 000009
【図４】
2017170419.tif 000010
【図５】
2017170419.tif 000011
【図６】
2017170419.tif 000012
【図７】
2017170419.tif 000013
【図８】
2017170419.tif 000014
【図９】
2017170419.tif 000015
【図１０】
2017170419.tif 000016
【図１１】
2017170419.tif 000017
【図１２】
2017170419.tif 000018
【図１３】
2017170419.tif 000019
【図１４】
2017170419.tif 000020
【図１５】
2017170419.tif 000021
【図１６】
2017170419.tif 000022
【図１７】
2017170419.tif 000023
【図１８】
2017170419.tif 000024
【国際調査報告】
2017170419.tif 000025
2017170419.tif 000026
2017170419.tif 000027
2017170419.tif 000028